(57)【要約】【課題】  遮断理由を示す情報を表示し、異常個所の発見を容易にし、復旧を的確に行う。【解決手段】  電源回路１９はＣＰＵ１７の動作電圧を主接点１４より２次側の配線路１３から取得する。ＣＰＵ１７は、電流センサ１５の出力に基づいて配線路１３の通電異常を監視し、温度センサ１６の出力に基づいてケースの内部温度を監視し、電圧センサ線２０から入力した電圧に基づいて電源回路１９の降圧機能を監視し、各部の異常を判定したときに、駆動回路１２を介してトリップコイル１１に動作指令を出力する。動作指令を出力する直前に、ＣＰＵ１７は遮断理由を示す情報を不揮発性記憶素子からなる記憶部２５に書き込む。操作ハンドルによって主接点１４が閉じられた直後に、ＣＰＵ１７は遮断理由情報を記憶部２５から読み出して表示部６に表示させる。【選択図】        図２
2010257655.tif 000002
【特許請求の範囲】
【請求項１】
配線路を含む複数個所の状態をセンサで検出し、センサの出力に基づいてＣＰＵが異常を判定し、遮断機構に動作指令を出力する配線用遮断器において、
前記ＣＰＵが、遮断機構に動作指令を出力する前に、遮断理由を示す情報を記憶部に書き込み、操作ハンドルによって主接点が閉じられた後に、前記遮断理由情報を記憶部から読み出して表示部に表示させることを特徴とする配線用遮断器。
【請求項２】
前記ＣＰＵの動作電圧を主接点より２次側の配線路から取得する電源回路を備え、前記記憶部に不揮発性記憶素子を用いた請求項１記載の配線用遮断器。
【請求項３】
前記センサが、配線路に流れる電流を検出する電流センサと、電源回路の電圧を検出する電圧センサと、遮断器ケースの内部温度を検出する温度センサとを含み、前記表示部が、遮断理由情報として配線路の通電異常と、電源回路の異常と、内部温度の異常とを選択的に表示する請求項２記載の配線用遮断器。
【発明の詳細な説明】
【技術分野】
【０００１】
本発明は、配線路を含む複数個所の異常を表示する機能を備えた電子式の配線用遮断器に関する。
【背景技術】
【０００２】
従来、配線路に流れる電流をセンサで検出し、センサの出力に基づいてＣＰＵが通電異常を判定し、遮断機構と表示部を動作させる配線用遮断器が知られている。例えば、特許文献１に記載された配線用遮断器は、配線路に流れる負荷電流を変流器で検出し、ＣＰＵが負荷電流値と基準値とを比較し、負荷電流値が基準値を超えたときに過電流を判定し、トリップコイルと事前警報出力部を同時に動作させるように構成されている。
【先行技術文献】
【特許文献】
【０００３】
【特許文献１】特開２００７−２７３１５９号公報
【発明の概要】
【発明が解決しようとする課題】
【０００４】
ところが、通常、保安上の理由でＣＰＵの動作電圧を主接点より２次側の配線路から取得しているので、主接点が開くとＣＰＵが停電状態となり、表示部が機能を停止してしまう。このため、通電異常に加えて電源回路や機内温度の異常を表示しようとする場合に、ユーザーが遮断理由を確認できず、異常箇所の発見に手間取ったり、異常要因を放置したまま電源を再投入したりするなど、復旧作業が不的確になるという問題点があった。
【０００５】
そこで、本発明の目的は、遮断理由を示す情報を表示し、異常個所の確認を容易にし、復旧を的確に行うことができる配線用遮断器を提供することにある。
【課題を解決するための手段】
【０００６】
上記課題を解決するために、本発明は、配線路を含む複数個所の状態をセンサで検出し、センサの出力に基づいてＣＰＵが異常を判定し、遮断機構に動作指令を出力する配線用遮断器において、次のような構成を採用したことを特徴とする。
【０００７】
（１）ＣＰＵが、遮断機構に動作指令を出力する前に、遮断理由を示す情報を記憶部に書き込み、操作ハンドルによって主接点が閉じられた後に、遮断理由情報を記憶部から読み出して表示部に表示させることを特徴とする配線用遮断器。
【０００８】
（２）ＣＰＵの動作電圧を主接点より２次側の配線路から取得する電源回路を備え、記憶部に不揮発性記憶素子を用いたことを特徴とする配線用遮断器。
【０００９】
（３）センサが、配線路に流れる電流を検出する電流センサと、電源回路の電圧を検出する電圧センサと、遮断器ケースの内部温度を検出する温度センサとを含み、表示部が、遮断理由情報として配線路の通電異常と、電源回路の異常と、内部温度の異常とを選択的に表示することを特徴とする配線用遮断器。
【発明の効果】
【００１０】
上記（１）の配線用遮断器によれば、電源を再投入するときに、遮断理由を示す情報が表示部に直ちに表示されるので、ユーザーは異常箇所を容易に確認でき、異常要因を取り除いて、配線路を的確に復旧できるという効果がある。
【００１１】
上記（２）の配線用遮断器によれば、記憶部に不揮発性記憶素子を用いたので、主接点が開いた停電状態で、遮断理由情報を記憶部に保持し、電源再投入時に確実に表示できるという効果がある。
【００１２】
上記（３）の配線用遮断器によれば、表示部が遮断理由情報として、配線路の通電異常と電源回路の異常と内部温度の異常とを選択的に表示するので、異常個所の識別が容易になるという効果がある。
【図面の簡単な説明】
【００１３】
【図１】本発明の一実施形態を示す配線用遮断器の外観斜視図である。
【図２】配線用遮断器の電気回路を示すブロック図である。
【図３】配線用遮断器の基本動作を示すフローチャートである。
【図４】過電流監視処理を示すフローチャートである。
【図５】電源回路監視処理を示すフローチャートである。
【図６】内部温度監視処理を示すフローチャートである。
【発明を実施するための形態】
【００１４】
以下、本発明の一実施形態を図面に基づいて説明する。図１に示すように、この配線用遮断器１は、ケース２の両端に電源側端子３と負荷側端子４を装備している。ケース２の前面には、主接点を手動で開閉する操作ハンドル５と、遮断理由情報を表示する表示部６とが配設されている。
【００１５】
表示部６は、２つのＬＥＤランプ７の点消灯を組み合わせ、配線路の通電異常と、電源回路の異常と、内部温度の異常とを選択的に表示するように構成されている。ただし、表示部６はＬＥＤランプ７に限定されず、液晶パネルを用いてもよく、遮断理由情報を文字やマーク等で表示することも可能である。
【００１６】
図２に示すように、ケース２の内部には、トリップコイル１１とその駆動回路１２が設けられ、両者によって配線路（単相３線式配線路を例示）１３の主接点１４を開く遮断機構が構成されている。配線路１３上には、３本の電線（Ｘ，Ｙ，Ｎ）に流れる負荷電流を別々に検出する電流センサ１５が設けられている。
【００１７】
内部温度を検出する温度センサ１６は、主接点１４等の発熱しやすい機器の近くに設置され、機内温度を示す信号をＣＰＵ１７に出力する。ＣＰＵ１７は給電線１８を介して電源回路１９に接続され、電源回路１９が主接点１４より２次側の配線路１３から取得した電圧を所定レベルまで降圧し、動作電圧としてＣＰＵ１７に供給する。
【００１８】
また、ＣＰＵ１７と電源回路１９は電圧センサ線２０で接続され、電圧センサ線２０が電源回路１９の降圧用中間電圧をＣＰＵ１７に伝送する。ＣＰＵ１７には、Ａ／Ｄ変換部２１、制御プログラム２２、データ記憶部２３、演算制御部２４が設けられ、演算制御部２４にトリップコイル駆動回路１２、表示部６、記憶部２５が接続されている。
【００１９】
Ａ／Ｄ変換部２１は、電流センサ１５、温度センサ１６、電圧センサ線２０からのアナログ信号をデジタル信号に変換して演算制御部２４に送信する。演算制御部２４は、制御プログラム２２に従って、異常判定に用いる基準値や許容値等のパラメータをデータ記憶部２３から読み出し、配線路１３に流れる電流、ケース２内の温度、電源回路１９の降圧機能を監視し、異常を判定したときに、トリップコイル１１に動作指令を出力する。
【００２０】
また、演算制御部２４は、動作指令を出力する直前に、通電異常と電源回路異常と温度異常のうちから選択した一つの遮断理由情報を記憶部２５に書き込む。そして、操作ハンドル５によって主接点１４が閉じられた直後に、演算制御部２４が遮断理由情報を記憶部２５から読み出して表示部６に所定時間表示させる。記憶部２５には、遮断理由情報を停電状態で保持できるように、不揮発性記憶素子が用いられている。
【００２１】
次に、配線用遮断器１の動作を図３〜図６に基づいて説明する。図３に示すように、配線路１３に電源が投入されると、ＣＰＵ１７は制御プログラム２２中のメイン処理を実行する。ここでは、まず、システムを初期化し（Ｓ１）、その直後に、記憶部２５から遮断理由情報を読み出す（Ｓ２）。次に、表示タイマを始動し（Ｓ３）、遮断理由情報の表示時間を計測する（Ｓ４）。
【００２２】
そして、タイマが終了するまでの数秒間、遮断理由情報を表示部６のＬＥＤランプ７で表示し（Ｓ５）、タイマが終了した時点で、ＬＥＤランプ７を消灯して表示をリセットする（Ｓ６）。続いて、ＣＰＵ１７は本来の任務である動作状態監視処理を実行する（Ｓ７）。この実施形態の配線用遮断器１では、動作状態監視処理に過電流監視処理と電源回路監視処理と内部温度監視処理とが含まれている。
【００２３】
図４に示すように、過電流監視処理では、電流センサ１５の出力に基づいて負荷電流のベクトル合成和を演算し（Ｓ１１）、負荷電流値を定格電流値と比較し、過電流の発生を監視する（Ｓ１２）。あるいは、Ｘ，Ｎ，Ｙ各線の実効電流値を定格電流値と比較して、過電流の発生を監視する。過電流が発生していないときは、過電流応答時限を０にリセットし（Ｓ１３）、過電流が発生しているときに、その継続時間を過電流応答時限と比較する（Ｓ１４）。そして、過電流が応答時限を超えて流れた時点で、配線路１３の通電異常を判定し、これを遮断理由情報として記憶部２５に書き込む（Ｓ１５）。その後、トリップコイル１１に動作指令を出力し、主接点１４を開いて配線路１３を遮断する（Ｓ１６）。
【００２４】
図５に示すように、電源回路監視処理では、電源回路１９から電圧センサ線２０を介して降圧用中間電圧を入力し（Ｓ２１）、その上限値および下限値を許容値と比較して、電源回路２０の降圧機能を監視する（Ｓ２２）。そして、降圧機能が不適正である場合に、電源回路１９の異常を判定し、これを遮断理由情報として記憶部２５に書き込み（Ｓ２３）、トリップコイル１１に動作指令を出力して、主接点１４を開放する（Ｓ２４）。
【００２５】
図６に示すように、内部温度監視処理では、温度センサ１６の出力に基づいて内部温度を検出し（Ｓ３１）、検出値を基準値と比較して、ケース２内の温度上昇を監視する（Ｓ２２）。そして、内部温度が基準値を超えたときに、温度異常を判定し、これを遮断理由情報として記憶部２５に書き込み（Ｓ３３）、トリップコイル１１に動作指令を出力して、主接点１４を開放する（Ｓ３４）。
【００２６】
この実施形態の電子式配線用遮断器１によれば、トリップ指令が出る直前に、遮断理由情報が不揮発性の記憶部２５に書き込まれるので、主接点１４が開いた停電状態で遮断理由情報を失う心配がない。一方、電源の再投入にあたり、ユーザーが主接点１４を閉じると、図３に示すメイン処理において、遮断理由情報が記憶部２５から直ちに読み出され、通電異常、電源回路異常または温度異常を示す情報がＬＥＤランプ７によって表示される。したがって、ユーザーは異常個所を容易に識別でき、異常要因を速やかに取り除き、配線路１３を的確に復旧することができる。
【００２７】
本発明は上記実施形態に限定されるものではなく、以下に例示するように、発明の趣旨を逸脱しない範囲で、各部の構成を適宜に変更して実施することも可能である。
（ａ）本発明を単相２線式または３相３線式配線用遮断器に適用すること。
（ｂ）配線路上に零相変流器を設け、漏電による通電異常を遮断理由情報として表示すること。
（ｃ）配線路上に瞬時遮断機構を設け、短絡電流による通電異常を遮断理由情報として表示すること。
（ｄ）単相３線式配線路を構成する３本の電線の電圧を検出し、誤結線や中性線の欠損による電圧異常を遮断理由情報として表示すること。
【符号の説明】
【００２８】
１    配線用遮断器
２    ケース
５    操作ハンドル
６    表示部
１１    トリップコイル
１３    配線路
１４    主接点
１５    電流センサ
１６    温度センサ
１７    ＣＰＵ
１９    電源回路
２０    電圧センサ線
２５    記憶部
【図１】
2010257655.tif 000003
【図２】
2010257655.tif 000004
【図３】
2010257655.tif 000005
【図４】
2010257655.tif 000006
【図５】
2010257655.tif 000007
【図６】
2010257655.tif 000008